(57)【要約】【課題】一方の面が粘着面となる帯状の粘着テープを巻回した粘着テープロールと、前記粘着テープロールを回動自在に支持する支持体とを備える粘着テープクリーナにおいて、粘着テープロールから巻回された粘着テープを容易に剥離することが可能な粘着テープクリーナ及びそのような粘着テープクリーナにて使用される粘着テープロールを提供する。【解決手段】粘着テープクリーナ１は、支持体１０に取り付けられ、粘着テープロール２の幅方向の中側に接離可能な剥離部材１１を備える。粘着テープロール２は、粘着面において、剥離部材１１が接する位置に、長手方向に沿って延びる非粘着部２１を有する。【選択図】図１
2019076334.tif 000002
【特許請求の範囲】
【請求項１】
一方の面が粘着面となる帯状の粘着テープを巻回した粘着テープロールと、前記粘着テープロールを回動自在に支持する支持体とを備える粘着テープクリーナであって、
前記支持体に取り付けられ、前記粘着テープロールの幅方向の中側に接離可能な剥離部材を備える
ことを特徴とする粘着テープクリーナ。
【請求項２】
請求項１に記載の粘着テープクリーナであって、
前記粘着テープロールの粘着面は、前記剥離部材が接する位置に、長手方向に沿って延びる非粘着部を有する
ことを特徴とする粘着テープクリーナ。
【請求項３】
請求項１又は請求項２に記載の粘着テープクリーナであって、
前記支持体は、
前記粘着テープロールの中心軸として挿通される軸支部と、
前記粘着テープロールの軸方向に直交する方向に延び、片手で把持可能な把持部と
を備え、
前記剥離部材は、
把持部を把持している手で接離操作が可能な操作部を備える
ことを特徴とする粘着テープクリーナ。
【請求項４】
請求項１乃至請求項３のいずれか１項に記載の粘着テープクリーナであって、
前記剥離部材は、更に、前記粘着テープロールの幅方向の端部に接離可能に形成されている
ことを特徴とする粘着テープクリーナ。
【請求項５】
一方の面が粘着面となる帯状の粘着テープを巻回した粘着テープロールであって、
粘着面の幅方向に対する中側に、長手方向に沿って延びる非粘着部を有する
ことを特徴とする粘着テープロール。
【発明の詳細な説明】
【技術分野】
【０００１】
本発明は、粘着テープを巻回した粘着テープロールと、粘着テープロールを回動自在に支持する支持体とを備える粘着テープクリーナ、及び粘着テープクリーナに使用可能な粘着テープロールに関する。
【背景技術】
【０００２】
カーペット、フローリング、洋服等の被清掃体に付着した埃、毛屑、その他各種ゴミ等の異物を除去する掃除用具として、粘着テープを巻回した粘着テープロールを用いた粘着テープクリーナが普及している。粘着テープクリーナを使用する使用者は、粘着テープを巻回した粘着テープロールを往復回動運動させることにより、粘着テープに異物を付着させる。そして、異物を付着させた粘着テープを粘着テープロールから剥離し、切断することにより、新たな粘着面を露出させる。粘着テープは、粘着面にて粘着した状態で巻回されているため、使用後の粘着テープを剥離する剥離作業が困難となる場合もある。
【０００３】
そこで、例えば、特許文献１では、粘着テープロールの粘着性の表面の幅方向に剥離用のバーをセットし、バーのエッジを用いて粘着テープを剥離及び切断する粘着テープクリーナが開示されている。
【先行技術文献】
【特許文献】
【０００４】
【特許文献１】特開２００５−２３７７９８号公報
【発明の概要】
【発明が解決しようとする課題】
【０００５】
しかしながら、特許文献１に開示された粘着テープクリーナは、バーのセット等の作業が面倒であるという作業性に関する問題がある。
【０００６】
本発明は斯かる事情に鑑みてなされたものであり、剥離部材を備えることにより、粘着テープロールから粘着テープを容易に剥離することができる粘着テープクリーナ、及び粘着テープを容易に剥離可能な粘着テープロールの提供を目的とする。
【課題を解決するための手段】
【０００７】
上記課題を解決するために、本願記載の粘着テープクリーナは、一方の面が粘着面となる帯状の粘着テープを巻回した粘着テープロールと、前記粘着テープロールを回動自在に支持する支持体とを備える粘着テープクリーナであって、前記支持体に取り付けられ、前記粘着テープロールの幅方向の中側に接離可能な剥離部材を備えることを特徴とする。
【０００８】
また、本願記載の粘着テープクリーナにおいて、前記粘着テープロールの粘着面は、前記剥離部材が接する位置に、長手方向に沿って延びる非粘着部を有することを特徴とする。
【０００９】
また、本願記載の粘着テープクリーナにおいて、前記支持体は、前記粘着テープロールの中心軸として挿通される軸支部と、前記粘着テープロールの軸方向に直交する方向に延び、片手で把持可能な把持部とを備え、前記剥離部材は、把持部を把持している手で接離操作が可能な操作部を備えることを特徴とする。
【００１０】
また、本願記載の粘着テープクリーナにおいて、前記剥離部材は、更に、前記粘着テープロールの幅方向の端部に接離可能に形成されていることを特徴とする。
【００１１】
本願記載の粘着テープロールは、一方の面が粘着面となる帯状の粘着テープを巻回した粘着テープロールであって、粘着面の幅方向に対する中側に、長手方向に沿って延びる非粘着部を有することを特徴とする。
【発明の効果】
【００１２】
本願記載の粘着テープクリーナは、粘着テープロールの中側に接離可能な剥離部材を備えることにより、また、粘着テープロールは、中側に非粘着部を有することにより、巻回された粘着テープを容易に剥離することができる等の優れた効果を奏する。
【図面の簡単な説明】
【００１３】
【図１】本願記載の粘着テープクリーナの一例を概略的に示す外観斜視図である。
【図２】本願記載の粘着テープクリーナの一例を概略的に示す外観図である。
【図３】本願記載の粘着テープクリーナにて使用可能な粘着テープロールの一例を概略的に示す外観斜視図である。
【図４】本願記載の粘着テープクリーナの使用時の状態を概略的に示す正面図である。
【図５】本願記載の粘着テープクリーナの一例を概略的に示す外観図である。
【図６】本願記載の粘着テープクリーナの一例を概略的に示す外観斜視図である。
【図７】本願記載の粘着テープクリーナにて使用可能な粘着テープロールの一例を概略的に示す外観斜視図である。
【発明を実施するための形態】
【００１４】
以下、本発明の実施形態について図面を参照しながら説明する。なお、以下の実施形態は、本発明を具現化した一例であって、本発明の技術的範囲を限定する性格のものではない。
【００１５】
＜実施形態１＞
図１は、本願記載の粘着テープクリーナ１の一例を概略的に示す外観斜視図である。図２は、本願記載の粘着テープクリーナ１の一例を概略的に示す外観図である。なお、図２（ａ）は、正面図であり、図２（ｂ）は、右側面図である。図３は、本願記載の粘着テープクリーナ１にて使用可能な粘着テープロール２の一例を概略的に示す外観斜視図である。本願記載の粘着テープクリーナ１は、カーペット、フローリング、洋服、機械設備等の被清掃体に付着した埃、毛屑、その他各種ゴミ等の異物を除去する掃除用具として使用される。粘着テープクリーナ１は、一方の面が粘着面となる帯状の粘着テープを、粘着面が表面となるように巻回した粘着テープロール２と、粘着テープロール２を回動自在に支持する支持体１０とを備えている。
【００１６】
図３に例示した外観斜視図は、粘着テープロール２から、巻回されている粘着テープの一部を剥がした状態を示している。粘着テープロール２は、円筒状をなしており、巻回された帯状の粘着テープは、表面側に粘着剤が塗布された粘着部２０となっている。また、粘着テープの表面側の幅方向の中央近傍には粘着剤が塗布されていない非粘着部２１が長手方向に沿って延びている。図１乃至図３では、粘着剤が塗布された粘着部２０を点描にて示し、粘着剤が塗布されていない非粘着部２１を白抜きにて示している。
【００１７】
粘着テープロール２を支持する支持体１０は、屈曲した一本の金属棒を用いて形成されており、金属棒の一端側は、円筒状をなす粘着テープロール２の中心軸の位置に挿通され、粘着テープロール２を回動自在に支持する軸支部１００となっている。支持体１０に用いられる金属棒の他端側は屈曲したアーム部１０１となっており、アーム部１０１は、軸支部１００と繋がっており、軸支部１００により粘着テープロール２を片持ち状態で支持している。
【００１８】
アーム部１０１は、軸支部１００に接続された部位で略直角に屈曲し、粘着テープロール２の回動に支障が発生しない位置で粘着テープロール２の中央側に向けて鈍角に屈曲し、更に、粘着テープロール２に対して反対側へ、粘着テープロール２の軸方向に直交する方向へ向けて屈曲している。アーム部１０１の他端には、使用者が片手で把持するための樹脂製の把持部１０２が取り付けられている。
【００１９】
支持体１０のアーム部１０１には、粘着テープロール２の幅方向の中央近傍に設けられた非粘着部２１に接離可能な剥離部材１１が取り付けられている。剥離部材１１は、棒状をなし、アーム部１０１の他端側に沿って配置される軸部１１０を備えている。剥離部材１１の軸部１１０の一端側となる粘着テープロール２側の先端には、巻回された粘着テープを剥離する剥離爪１１１が設けられており、他端側は、剥離部材１１を操作する操作部１１２となっている。剥離部材１１は、軸部１１０の軸方向に移動可能となるように、取付部１１３により支持体１０に取り付けられている。取付部１１３には、伸長方向に付勢する圧縮コイルバネ等の付勢部材１１４が用いられており、剥離部材１１が粘着テープロール２から離れる他端側へ付勢している。使用者は、把持部１０２を片手で把持し、把持している手で操作部１１２を粘着テープロール２側へ押し込む操作を行うことにより、剥離部材１１が粘着テープロール２側へ移動し、剥離爪１１１が粘着テープロール２に接触する。剥離爪１１１は、粘着テープロール２に対し、粘着面の非粘着部２１に接触するように配置されている。使用者が、操作部１１２に加えた力を解放すると、付勢部材１１４により、剥離部材１１は粘着テープロール２の反対側へ移動し、剥離爪１１１が粘着テープロール２から離れる。即ち、使用者は、操作部１１２により、把持部１０２を把持している手で接離操作が可能である。
【００２０】
以上のように構成された粘着テープクリーナ１の使用方法について説明する。図４は、本願記載の粘着テープクリーナ１の使用時の状態を概略的に示す正面図である。図４（ａ）は、各種ゴミ等の異物を除去する際の状態を示している。使用者は、図４（ａ）に示す状態の粘着テープクリーナ１の把持部１０２を把持し、粘着テープロール２の粘着面を被清掃体に当接させた状態で、粘着テープロール２が往復回動運動をするように、粘着テープクリーナ１を往復させる。粘着テープロール２が往復回動運動することにより、異物が粘着テープの粘着面に付着し、被清掃体から異物が除去される。
【００２１】
図４（ｂ）は、図４（ａ）に示す状態から、操作部１１２を押し込み、剥離部材１１が粘着テープロール２に接触した状態を示している。使用者が操作部１１２を押し込み、剥離部材１１が移動することにより、先端の剥離爪１１１が粘着テープロール２の粘着面の非粘着部２１に対応する位置に接触する。
【００２２】
図４（ｃ）は、図４（ｂ）に示す状態から、粘着テープロール２を回転させた状態を示している。剥離爪１１１が粘着テープロール２の粘着面の非粘着部２１に対応する位置に接触した状態で、粘着テープロール２を回転させることにより、巻回された粘着テープの端部から、長手方向に延びる非粘着部２１に沿って、剥離爪１１１が粘着テープの下層に潜り込む。巻回された粘着テープの端部から剥離爪１１１が潜り込んだ状態で更に粘着テープロール２を回転させることにより、巻回されている粘着テープが端部から剥がされる。図４（ｃ）は、略１周分の粘着テープが剥がされた状態を示しており、この状態で、剥がされた略１周分の粘着テープを切断することにより、粘着テープロール２の表面に露出する粘着面が更新される。なお、粘着テープは、容易に切断可能なように、幅方向にミシン目等の加工が施されている。粘着テープロール２を切断後、操作部１１２に加えた力を解放することにより、剥離部材１１は粘着テープロール２の反対側へ移動し、剥離爪１１１が粘着テープロール２から離れ、図４（ａ）に示す状態となる。
【００２３】
以上説明したように、本願記載の粘着テープクリーナ１は、粘着テープロール２に巻回された粘着テープに、長手方向に延びる非粘着部２１を有している。そして、使用者は、剥離部材１１を操作して剥離爪１１１を非粘着部２１に潜り込ませて、粘着テープクリーナ１を回転させることにより、粘着テープロール２に巻回された粘着テープを容易に剥離することができる。
【００２４】
＜実施形態２＞
実施形態２は、実施形態１において、剥離部材１１の形状及び取付方法を変更した形態である。以降の説明において、実施形態１と同様の構成については、実施形態１と同様の符号を付し、実施形態１の説明を参照するものとし、その説明を省略する。
【００２５】
図５は、本願記載の粘着テープクリーナ１の一例を概略的に示す外観図である。なお、図５（ａ）は、正面図であり、図５（ｂ）は、右側面図である。実施形態２の剥離部材１１は、若干婉曲した棒状をなし、軸部１１０の中央近傍の取付部１１３にて支持体１０の側部に前後方向に揺動自在に軸支されている。剥離部材１１を軸支する取付部１１３の位置が梃子の支点となり、一端側の先端で作用点となる剥離爪１１１が後方に傾いており、他端側の先端で力点となる操作部１１２が前方に傾いている。伸長方向に付勢する圧縮コイルバネ等の付勢部材１１４は、支点より操作部１１２側の軸部１１０と支持体１０のアーム部１０１とを連結しており、剥離爪１１１が粘着テープロール２から離れるように付勢している。
【００２６】
以上のように構成された粘着テープクリーナ１の使用方法について説明する。使用者は、図５に示す状態の粘着テープクリーナ１の把持部１０２を把持し、粘着テープロール２の粘着面を被清掃体に当接させた状態で、粘着テープロール２が往復回動運動をするように、粘着テープクリーナ１を往復させる。粘着テープロール２が往復回動運動することにより、異物が粘着テープの粘着面に付着し、被清掃体から異物が除去される。そして、図５に示す状態から、前方に傾いている操作部１１２を、支持体１０側に押さえて揺動させることにより、先端の剥離爪１１１が粘着テープロール２の粘着面の非粘着部２１に対応する位置に接触する。そして、剥離爪１１１が粘着テープロール２に接触した状態で、粘着テープロール２を回転させることにより、巻回されている粘着テープが端部から剥がされ、剥がされた粘着テープを切断して、粘着テープロール２の表面に露出する粘着面を更新することができる。
【００２７】
＜実施形態３＞
実施形態３は、実施形態１において、剥離部材１１の形状を変形した形態である。以降の説明において、実施形態１と同様の構成については、実施形態１と同様の符号を付し、実施形態１の説明を参照するものとし、その説明を省略する。
【００２８】
図６は、本願記載の粘着テープクリーナ１の一例を概略的に示す外観斜視図である。図７は、本願記載の粘着テープクリーナ１にて使用可能な粘着テープロール２の一例を概略的に示す外観斜視図である。実施形態３の剥離部材１１は、支持体１０の軸部１１０が粘着テープロール２側に向けて三つ叉に分岐しており、それぞれ粘着テープロール２の中央近傍及び両端部に接離する位置に対応するように剥離爪１１１が設けられている。
【００２９】
図７に例示した外観斜視図は、粘着テープロール２から、巻回されている粘着テープの一部を剥がした状態を示している。粘着テープロール２に巻回された帯状の粘着テープは、表面側に粘着剤が塗布されているが、粘着テープの幅方向の中央近傍及び両端部には粘着剤が塗布されていない三ヶ所の非粘着部２１が長手方向に沿って延びている。
【００３０】
以上のように構成された粘着テープクリーナ１の使用方法について説明する。使用者は、粘着テープクリーナ１の把持部１０２を把持し、粘着テープロール２の粘着面を被清掃体に当接させた状態で、粘着テープロール２が往復回動運動をするように、粘着テープクリーナ１を往復させる。粘着テープロール２が往復回動運動することにより、異物が粘着テープの粘着面に付着し、被清掃体から異物が除去される。そして、使用者が操作部１１２を押し込み、剥離部材１１が移動することにより、三つ叉に分岐した先端の三本の剥離爪１１１が粘着テープロール２の粘着面の中央近傍及び両端部の非粘着部２１に対応する位置に接触する。そして、剥離爪１１１が粘着テープロール２に接触した状態で、粘着テープロール２を回転させることにより、巻回されている粘着テープが端部から剥がされ、剥がされた粘着テープを切断して、粘着テープロール２の表面に露出する粘着面を更新することができる。
【００３１】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【００３２】
例えば、前記実施形態では、粘着テープの幅方向の中央近傍に直線状に連続して延びる非粘着部２１を設けた形態を例示したが、本発明は、これに限らず、適宜設計することが可能である。例えば、幅方向に対して端部以外の中側であれば、中央近傍から外れた位置に非粘着部２１を設けても良く、その場合、粘着部２０を三分割するように二ヶ所に非粘着部２１を設けても良い。また、非粘着部２１は、破線状に断続して延びるように非粘着部２１を設けるようにしても良く、その場合、非粘着部２１が設けられている領域で粘着テープが切断されるようにミシン目加工をすることが望ましい。更に、その場合の非粘着部２１の形状は、矩形、菱形、その他の四角形、三角形その他の多角形、円形、楕円形、長円形等、様々な形状に形成することが可能である。
【００３３】
また、例えば、前記実施形態では、粘着テープロール２を片持ち状態で指示する形態を示したが、本発明はこれに限らず、支持体１０の材質及び形状は用途に応じて適宜選択することが可能である。例えば、支持体１０が、粘着テープロール２を両持ち状態で支持するように形成し、使用時の粘着テープロール２の回動の安定性を向上させることも可能である。
【符号の説明】
【００３４】
１      粘着テープクリーナ
１０    支持体
１００    軸支部
１０１    アーム部
１０２    把持部
１１    剥離部材
１１０    軸部
１１１    剥離爪
１１２    操作部
１１３    取付部
１１４    付勢部材
２      粘着テープロール
２０    粘着部
２１    非粘着部
【図１】
2019076334.tif 000003
【図２】
2019076334.tif 000004
【図３】
2019076334.tif 000005
【図４】
2019076334.tif 000006
【図５】
2019076334.tif 000007
【図６】
2019076334.tif 000008
【図７】
2019076334.tif 000009